(57)【特許請求の範囲】
【請求項１】
相手側モジュラー型コネクタと嵌合する雄型の嵌合部又は雌型の嵌合部を有するベース部と、ケーブルと接続するリァ部とから構成され、前記ベース部は、ベースインシュレータと、前記ベースインシュレータに保持されるベースコンタクトとを有し、前記リァ部は、リァインシュレータと、前記リァインシュレータに保持されるサポートコンタクトと、前記ベースコンタクトと接続する前記ケーブルとを有し、前記リァ部は、前記雄型の嵌合部を有するベース部又は前記雌型の嵌合部を有するベース部のいずれとも着脱可能に接続されるモジュラー型コネクタと、
前記モジュラー型コネクタと前記相手側モジュラー型コネクタとの嵌合を保持し、かつ、収容するフードを有し、
前記フードは、前記モジュラー型コネクタの逆挿入防止キーと排出防止ロック部とを兼備することを特徴とするモジュラー型コネクタ。
【請求項２】
前記フードには治具挿入口が形成され、前記治具挿入口から治具を挿入して、前記排出防止ロック部による前記モジュラー型コネクタのロックを解除することを特徴とする請求項１記載のモジュラー型コネクタ。
【発明の詳細な説明】
【０００１】
【発明の属する技術分野】
本発明は、相手側モジュラー型コネクタと嵌合する雄型の嵌合部又は雌型の嵌合部を有するベース部と、ケーブルと接続するリァ部とから構成され、リァ部は雌雄いずれの嵌合部を有するベース部とも着脱可能に接続されるモジュラー型コネクタ、及び、両コネクタの嵌合を保持し、かつ、収容するフードに関する。
【０００２】
【従来の技術】
２つのケーブルコネクタを接続する従来の第１の中継コネクタについて図８を参照して説明する。このコネクタは、特開平７−１０６０３３号公報に記載されている。
【０００３】
中継コネクタは、コネクタハウジング３１内に収容され、コネクタハウジング３１は、一対の壁材３２，３３に保持されている。コネクタハウジング３１に形成されたフランジ状の当接壁３１Ａは、壁材３２に当接して位置決めされる。一方のケーブルコネクタ３４は、コネクタハウジング３１の前部側嵌合口３１Ｂから挿入されて中継コネクタの一方側に接続され、他方のケーブルコネクタ３５は、コネクタハウジング３２の後部側嵌合口３１Ｃから挿入されて中継コネクタの他方側に接続される。したがって、一方のケーブルコネクタ３４は、中継コネクタを介して他方のケーブルコネクタ３５と接続する。
【０００４】
従来の第２の中継コネクタとしては、実用新案登録第２５５６７８９号公報に記載されたコネクタ用ハウジングについて図９を参照して説明する。
【０００５】
中継コネクタは、プリント基板４１と、プリント基板４１の両側に重畳される弾性板４２，４３と、各弾性板４２，４３と外側に重畳される蓋体４４，４５と、プリント基板４１に接続される一方側のコネクタ４６及び他方側のコネクタ４７，４８とから構成される。一方側のケーブルコネクタ（図示せず）は、コネクタ４６に接続され、他方側の２つのケーブルコネクタ（図示せず）は、それぞれコネクタ４７，４８に接続される。
【０００６】
コネクタ４６は、蓋体４４に形成される開口４４Ａと弾性体４２に形成される開口４２Ａから挿入されてプリント基板４１に接続される。コネクタ４７，４８は、蓋体４５に形成される開口４５Ａと弾性体４３に形成される開口４３Ａから挿入されてプリント基板４１に接続される。プリント基板４１、弾性板４２，４３及び蓋体４４，４５は、４本のねじ４９により一体に固定される。
【０００７】
【発明が解決しようとする課題】
前述した２つの従来の中継コネクタは、構造が複雑で、部品点数が多く、また、コストが高価である。
【０００８】
そこで、本発明は、前述した２つの従来の中継コネクタの欠点を改良し、構造が簡単で、部品点数が少なく、しかも、コストが安価なモジュラー型コネクタ及びフードを提供しようとするものである。
【０００９】
【課題を解決するための手段】
本発明は、前記課題を解決するため、次の手段を採用する。
【００１０】
１．相手側モジュラー型コネクタと嵌合する雄型の嵌合部又は雌型の嵌合部を有するベース部と、ケーブルと接続するリァ部とから構成され、前記ベース部は、ベースインシュレータと、前記ベースインシュレータに保持されるベースコンタクトとを有し、前記リァ部は、リァインシュレータと、前記リァインシュレータに保持されるサポートコンタクトと、前記ベースコンタクトと接続する前記ケーブルとを有し、前記リァ部は、前記雄型の嵌合部を有するベース部又は前記雌型の嵌合部を有するベース部のいずれとも着脱可能に接続されるモジュラー型コネクタと、前記モジュラー型コネクタと前記相手側モジュラー型コネクタとの嵌合を保持し、かつ、収容するフードを有し、前記フードは、前記モジュラー型コネクタの逆挿入防止キーと排出防止ロック部とを兼備するモジュラー型コネクタ。
【００１１】
２．前記フードには治具挿入口が形成され、前記治具挿入口から治具を挿入して、前記排出防止ロック部による前記モジュラー型コネクタのロックを解除する前記１記載のモジュラー型コネクタ。
【００１４】
【発明の実施の形態】
本発明の一実施の形態例のモジュラー型ケーブルコネクタ及びフードについて図１〜図７を参照して説明する。
【００１５】
図１は、フード１とこれに挿入される一方のケーブルコネクタ１１の斜視図である。フード１の両側からケーブルコネクタ１１がそれぞれ矢印方向に挿入されて嵌合する。フード１は、合成樹脂製の同一のフード部品２を２枚向い合せることにより構成される。
【００１６】
フード部品２は、図２（ａ）〜（ｃ）に示されるように、中央部２Ａと、上部２Ｂと、下部２Ｃとから略横Ｈ字形状に構成される。フード部品２の上部２Ｂ及び下部２Ｃの各内側に、ケーブルコネクタ１１を挿入排出するためにガイド溝２Ｄ，２Ｅが形成され、また、ケーブルコネクタ１１が上下表裏逆向きに挿入されることを防止するために、ガイド溝２Ｅに逆挿入防止キー（突起）２Ｆが形成される。更に、フード部品２の上部２Ｂ及び下部２Ｃの右側には、ケーブルコネクタ１１を嵌合位置にロックするために、片持はり状の排出防止ロック部（モールドばね）２Ｇがガイド溝２Ｄに突出するように形成される。更に、フード部品２の上面及び下面の左側及び右側には、略コ字形状の嵌め合せ部（モールドばね）２Ｈと突起２Ｉとが形成される。２枚のフード部品２は、図２（ｂ）に示されるように、対向する嵌め合せ部２Ｈと突起２Ｉとが係合することにより、向い合せに相互に固定される。
【００１７】
図３は、ケーブルコネクタ１１の正面図である。ケーブルコネクタ１１は、インシュレータ１１ＡＢ１と、インシュレータ１１ＡＢ１に保持される複数のコンタクト１１Ｂ２と、各コンタクト１１Ｂ２に間接的に接続される複数のケーブル１１Ａ３等とから構成される。詳細は図４を参照して後述する。インシュレータ１１ＡＢ１の上下両面には、突出部１１Ｂ３が前面側（図３（ａ）における紙面手前側）に位置して形成される。各突出部１１Ｂ３の役割については、図５と図６を参照して後述する。
【００１８】
図４は、モジュラー型ケーブルコネクタの２つの形態であり、（ａ）はケーブルコネクタと他のケーブルコネクタとの接続形態、（ｂ）はケーブルコネクタとプリント配線基板との接続形態を、それぞれ示す。
【００１９】
まず、図４（ａ）に示されるモジュラー型ケーブルコネクタについて説明する。モジュラー型ケーブルコネクタは、一方のケーブルコネクタ１１と、これに対して嵌合離脱する他方のケーブルコネクタ１２とから構成される。
【００２０】
ケーブルコネクタ１１は、リァ部１１Ａと、これに対して着脱可能なベース部１１Ｂとから構成される。リァ部１１Ａは、リァインシュレータ１１Ａ１と、リァインシュレータ１１Ａ１に保持されるサポートコンタクト１１Ａ２と、リァインシュレータ１１Ａ１を貫通して雄型ベースコンタクト１１Ｂ２に接続するケーブル１１Ａ３とを有する。ベース部１１Ｂは、ベースインシュレータ１１Ｂ１と、ベースインシュレータ１１Ｂ１に保持される雄型ベースコンタクト１１Ｂ２とを有する。サポートコンタクト１１Ａ２と雄型ベースコンタクト１１Ｂ２とは、接続するように構成しても良い。
【００２１】
ケーブルコネクタ１２は、リァ部１２Ａと、これに対して着脱可能なベース部１２Ｂとから構成される。リァ部１２Ａは、リァインシュレータ１２Ａ１と、リァインシュレータ１２Ａ１に保持されるサポートコンタクト１２Ａ２と、リァインシュレータ１２Ａ１を貫通して雌型ベースコンタクト１２Ｂ２に接続するケーブル１２Ａ３とを有する。ベース部１２Ｂは、ベースインシュレータ１２Ｂ１と、ベースインシュレータ１２Ｂ１に保持される雌型ベースコンタクト１２Ｂ２とを有する。サポートコンタクト１２Ａ２と雌型ベースコンタクト１２Ｂ２とは、接続するように構成しても良い。
【００２２】
ケーブルコネクタ１１とケーブルコネクタ１２との嵌合は、ベース部１１Ｂの嵌合凸部１１Ｂ３をベース部１２Ｂの嵌合凹部１２Ｂ３に挿入することにより行われる。
【００２３】
ケーブルコネクタ１１とケーブルコネクタ１２とは、フード１内に収容される。
【００２４】
次に、図４（ｂ）に示されるモジュラー型ケーブルコネクタについて説明する。モジュラー型ケーブルコネクタは、一方のケーブルコネクタ１２と、これに対して嵌合離脱する他方ＳＭＴ（Ｓｕｒｆａｃｅ  Ｍｏｕｎｔ  Ｔｅｃｈｎｏｌｏｇｙ）コネクタ１３とから構成される。
【００２５】
ＳＭＴコネクタ１３は、プリント配線基板１４と接続する。
【００２６】
ケーブルコネクタ１２とＳＭＴコネクタ１３との嵌合は、ＳＭＴコネクタ１３をベース部１２Ｂの嵌合凹部１２Ｂ３に挿入することにより行われる。
【００２７】
図５は、フード部品２の背面図である。上部２Ｂ及び下部２Ｃの左端付近に位置決めボス２Ｊ，２Ｋが、右端付近に位置決め孔２Ｌ，２Ｍが、それぞれ設けられる。２枚のフード部品２を向い合せてフード１を構成するとき、各位置決めボス２Ｊ，２Ｋと各位置決め孔２Ｌ，２Ｍとが嵌め合わされる。
【００２８】
図６は、図２（ａ）における線Ａ−Ａによる断面図である。（ａ）は、ケーブルコネクタ１１がフード１内に正常に挿入された状態を示す。ケーブルコネクタ１１の突出部１１Ｂ３は、フード部品２の排出防止ロック部２Ｇを弾性変形させて図示の状態の位置まで進入する。ケーブルコネクタ１１をフード１から排出しようとしても、突出部１１Ｂ３が排出防止ロック部２Ｇの先端に引っかかるため、ケーブルコネクタ１１はフード１から排出できない。（ｂ）は、ケーブルコネクタ１１がフード１内に上下表裏逆向きに途中まで挿入された状態を示す。ケーブルコネクタ１１の突出部１１Ｂ３は、フード部品２の逆挿入防止キー２Ｆに突き当たって図示の状態の位置より先へ進入することができない。
【００２９】
図６（ａ）に示されるケーブルコネクタ１１がフード１内に正常に挿入された状態において、ケーブルコネクタ１１を排出させる場合には、次の操作を行う。すなわち、図７におけるフード部品２の治具挿入口２Ｎにドライバの先端等を差し込んで、排出防止ロック部２Ｇの先端を左方向へ弾性変形させてケーブルコネクタ１１の突出部１１ＢＳ３から離隔させる。この後に、ケーブルコネクタ１１をフード１から排出させる。
【００３０】
【発明の効果】
以上の説明から明らかなように、本発明によれば、次の効果が奏される。
【００３１】
１．同一のリァ部が、雄型の嵌合部を有するベース部又は雌型の嵌合部を有するベース部のいずれとも着脱可能に接続されるから、余計な中継コネクタ（電気的接続構造を有するもの）が不要であるので、便利である。
【００３２】
２．モジュラー型コネクタと相手側モジュラー型コネクタとの嵌合の保持及び収容を、フードの採用により簡便に行うことができる。
【００３３】
３．フードは、一種一対のフード部品の向い合せにより構成されるので、部品点数が少なくて、コストが安価である。
【００３４】
４．モジュラー型コネクタをフードに挿入するだけで、ロックがかかり、その際、逆挿入が防止されるので、便利である。
【００３５】
５．フードの治具挿入口から治具を挿入して、排出防止ロック部によるモジュラー型コネクタのロックを簡易に解除できる。
【図面の簡単な説明】
【図１】本発明の一実施の形態例のモジュラー型ケーブルコネクタ及びフードの斜視図である。
【図２】同フードの三面図であり、（ａ）は正面図、（ｂ）は底面図、（ｃ）は側面図を、それぞれ示す。
【図３】同コネクタであり、（ａ）は正面図、（ｂ）は底面図を、それぞれ示す。
【図４】同コネクタと相手側コネクタとの嵌合前の断面図であり、（ａ）はケーブルコネクタ同士、（ｂ）はケーブルコネクタとＳＭＴコネクタを、それぞれ示す。
【図５】同コネクタと同相手側コネクタとが、同フードの内に嵌合して収容されている状態を示す正面図である。
【図６】図２（ａ）における線Ａ−Ａによる断面図であり、（ａ）は同コネクタが同フードに正常に挿入された状態、（ｂ）は同コネクタが同フードに逆向きに途中まで挿入された状態を、それぞれ示す。
【図７】同フードに挿入された同コネクタの排出の操作を説明するための側面図である。
【図８】従来の第１の中継コネクタの正面図である。
【図９】従来の第２の中継コネクタの諸図であり、（ａ）は斜視図、（ｂ）は背面図、（ｃ）は平面図、（ｄ）は断面図、（ｅ）は正面図を、それぞれ示す。
【符号の説明】
１    フード
２    フード部品
２Ａ    中央部
２Ｂ    上部
２Ｃ    下部
２Ｄ    ガイド溝
２Ｅ    ガイド溝
２Ｆ    逆挿入防止キー（突起）
２Ｇ    排出防止ロック部（モールドばね）
２Ｈ    嵌め合せ部（モールドばね）
２Ｉ    突起
２Ｊ    位置決めボス
２Ｋ    位置決めボス
２Ｌ    位置決め孔
２Ｍ    位置決め孔
２Ｎ    治具挿入口
１１    ケーブルコネクタ
１１Ａ    リァ部
１１Ａ１    リァインシュレータ
１１Ａ２    サポートコンタクト
１１Ａ３    ケーブル
１１ＡＢ１    インシュレータ
１１Ｂ    ベース部
１１Ｂ１    ベースインシュレータ
１１Ｂ２    雄型ベースコンタクト
１１Ｂ３    嵌合凸部
１２    ケーブルコネクタ
１２Ａ    リァ部
１２Ａ１    リァインシュレータ
１２Ａ２    サポートコンタクト
１２Ａ３    ケーブル
１２Ｂ    ベース部
１２Ｂ１    ベースインシュレータ
１２Ｂ２    雌型ベースコンタクト
１２Ｂ３    嵌合凹部
１３    ＳＭＴコネクタ
１４    プリント配線基板
【図１】
0003617002.tif 000002
【図２】
0003617002.tif 000003
【図３】
0003617002.tif 000004
【図４】
0003617002.tif 000005
【図５】
0003617002.tif 000006
【図６】
0003617002.tif 000007
【図７】
0003617002.tif 000008
【図８】
0003617002.tif 000009
【図９】
0003617002.tif 000010